(57)【要約】【課題】ＯＴＮトランスポートチャネルの帯域幅が節約されることが可能となる。【解決手段】クライアント信号を送信する方法は、送信側において、クライアント信号と、ローオーダー光チャネルデータユニット（ＯＤＵ）セット内のローオーダーＯＤＵとの間の予め設定された関係に従って、送信される前記クライアント信号が、対応するローオーダーＯＤＵ内にマッピングされ（ここで、ＯＤＵのレートは徐々に増加し）、マッピングされたＯＤＵが、ハイオーダー光チャネルペイロードユニット（ＯＰＵ）セット内のハイオーダーＯＰＵ内のタイムスロット内にマッピングされ、マッピングされたハイオーダーＯＰＵにオーバヘッドが追加されて光チャネルトランスポートユニット（ＯＴＵ）が形成され、ＯＴＵが、次に、光トランスポートネットワーク（ＯＴＮ）内に送信されることを含む。【選択図】図１
2014171248.tif 000002
【特許請求の範囲】
【請求項１】
８個のタイムスロットに分割されたハイオーダー光チャネルデータユニット-２（ＯＤＵ２）を採用したクライアント信号を送信する方法であって、
送信されるクライアント信号を、前記ハイオーダーＯＤＵ２に対応するローオーダー光チャネルデータユニット（ＯＤＵ）セット内の対応するローオーダーＯＤＵにマッピングし（２０１）、ただし、前記ローオーダーＯＤＵセットは、ＯＤＵ１ｔ、ＯＤＵ２ｔ、・・・、ＯＤＵ８ｔである８個のローオーダーＯＤＵを含み、ＯＤＵ１ｔ、ＯＤＵ２ｔ、・・・、ＯＤＵ８ｔは、それぞれＯＤＵ２と同じフレーム構造を採用し、ＯＤＵ１ｔ、ＯＤＵ２ｔ、・・・、ＯＤＵ８ｔは、それぞれ１×ＯＤＵ１ｔレート、２×ＯＤＵ１ｔレート、・・・、８×ＯＤＵ１ｔレートのように表される、順に増加させられた８個のレートを有し、ＯＤＵ１ｔレートは、前記ハイオーダーＯＤＵ２内における最小のタイムスロット粒度のレートであるＯＤＵ１ｔのレートを表し、
前記対応するローオーダーＯＤＵを、ハイオーダーＯＰＵ２のタイムスロットにマッピングし（２０２）、
前記ハイオーダーＯＤＵ２にオーバヘッドを追加して光チャネルトランスポートユニット（ＯＴＵ）を形成し、前記ＯＴＵを、伝送のために光トランスポートネットワーク（ＯＴＮ）に転送すること（２０３）
を含む、クライアント信号を送信する方法。
【請求項２】
送信される前記クライアント信号を、前記対応するローオーダーＯＤＵにマッピングすることは、
送信される固定ビットレート（ＣＢＲ）クライアント信号を、前記ローオーダーＯＤＵセット内の前記対応するローオーダーＯＤＵに、非同期マッピングを介してマッピングすることを含む、請求項１に記載の方法。
【請求項３】
送信される前記クライアント信号を、前記対応するローオーダーＯＤＵにマッピングすることは、
送信されるパケットタイプクライアント信号を、前記ローオーダーＯＤＵセット内の前記対応するローオーダーＯＤＵに、ジェネリックフレーミングプロシージャ（ＧＦＰ）を介してマッピングすることを含む、請求項１に記載の方法。
【請求項４】
送信される前記パケットタイプクライアント信号を、前記ローオーダーＯＤＵセット内の前記対応するローオーダーＯＤＵに、ＧＦＰを介してマッピングすることは、
送信される前記パケットタイプクライアント信号を、ＧＦＰフレーム内にパッケージ化し、
ＧＦＰ  ＩＤＥＬフレームを挿入することによって、前記パッケージ化されたパケットタイプクライアント信号のためのレートアダプテーションを実行し、
前記レートアダプテーションされたＧＦＰフレームを、前記ローオーダーＯＤＵセット内の前記対応するローオーダーＯＤＵにマッピングすること
を含む、請求項３に記載の方法。
【請求項５】
前記ローオーダーＯＤＵを、ハイオーダーＯＤＵ２の前記タイムスロットにマッピングすることは、
前記ローオーダーＯＤＵを、前記ハイオーダーＯＤＵ２の前記タイムスロットに、ジェネリックマッピングプロシージャ（ＧＭＰ）を介してマッピングすることを含む、請求項１〜請求項４の何れか１項に記載の方法。
【請求項６】
送信されるクライアント信号を、８個のタイムスロットに分割されたハイオーダー光チャネルデータユニット-２（ＯＤＵ２）に対応するローオーダー光チャネルデータユニット（ＯＤＵ）セット内の対応するローオーダーＯＤＵにマッピングするように構成された、第１のマッピングユニット（４０１）と、ただし、前記ローオーダーＯＤＵセットは、ＯＤＵ１ｔ、ＯＤＵ２ｔ、・・・、ＯＤＵ８ｔである８個のローオーダーＯＤＵを含み、ＯＤＵ１ｔ、ＯＤＵ２ｔ、・・・、ＯＤＵ８ｔは、それぞれＯＤＵ２と同じフレーム構造を採用し、ＯＤＵ１ｔ、ＯＤＵ２ｔ、・・・、ＯＤＵ８ｔは、それぞれ１×ＯＤＵ１ｔレート、２×ＯＤＵ１ｔレート、・・・、８×ＯＤＵ１ｔレートのように表される、順に増加させられた８個のレートを有し、ＯＤＵ１ｔレートは、前記ハイオーダーＯＤＵ２内における最小のタイムスロット粒度のレートであるＯＤＵ１ｔのレートを表し、
前記第１のマッピングユニットによって取得された前記対応するローオーダーＯＤＵを、ハイオーダー光チャネルペイロードユニット（ＯＰＵ）のタイムスロットにマッピングするように構成された、第２のマッピングユニット（４０２）と、
前記第２のマッピングユニットによって取得された前記ハイオーダーＯＰＵにオーバヘッドを追加して光チャネルトランスポートユニット（ＯＴＵ）を形成し、前記ＯＴＵを、伝送のために光トランスポートネットワーク（ＯＴＮ）に転送するように構成された、送信ユニット（４０３）と
を備える、クライアント信号を送信する装置。
【請求項７】
前記第１のマッピングユニットは、
送信される固定ビットレート（ＣＢＲ）クライアント信号を、前記ローオーダーＯＤＵセット内の前記対応するローオーダーＯＤＵに、非同期マッピングを介してマッピングするように構成された、ＣＢＲクライアント信号マッピングサブユニット、及び／又は、
送信されるパケットタイプクライアント信号を、前記ローオーダーＯＤＵセット内の前記対応するローオーダーＯＤＵに、ジェネリックフレーミングプロシージャ（ＧＦＰ）を介してマッピングするように構成された、パケットクライアント信号マッピングサブユニット
を備える、請求項６に記載の装置。
【請求項８】
３２個のタイムスロットに分割されたハイオーダー光チャネルデータユニット-３（ＯＤＵ３）を採用したクライアント信号を送信する方法であって、
送信されるクライアント信号を、前記ハイオーダーＯＤＵ３に対応するローオーダー光チャネルデータユニット（ＯＤＵ）セット内の対応するローオーダーＯＤＵにマッピングし（２０１）、ただし、前記ローオーダーＯＤＵセットは、ＯＤＵ１ｔ、ＯＤＵ２ｔ、・・・、ＯＤＵ３２ｔである３２個のローオーダーＯＤＵを含み、ＯＤＵ１ｔ、ＯＤＵ２ｔ、・・・、ＯＤＵ３２ｔは、それぞれＯＤＵ３と同じフレーム構造を採用し、ＯＤＵ１ｔ、ＯＤＵ２ｔ、・・・、ＯＤＵ３２ｔは、それぞれ１×ＯＤＵ１ｔレート、２×ＯＤＵ１ｔレート、・・・、３２×ＯＤＵ１ｔレートのように表される、順に増加させられた３２個のレートを有し、ＯＤＵ１ｔレートは、前記ハイオーダーＯＤＵ３内における最小のタイムスロット粒度のレートであるＯＤＵ１ｔのレートを表し、
前記対応するローオーダーＯＤＵを、ハイオーダーＯＰＵ３のタイムスロットにマッピングし（２０２）、
前記ハイオーダーＯＤＵ３にオーバヘッドを追加して光チャネルトランスポートユニット（ＯＴＵ）を形成し、前記ＯＴＵを、伝送のために光トランスポートネットワーク（ＯＴＮ）に転送すること（２０３）
を含む、クライアント信号を送信する方法。
【請求項９】
送信される前記クライアント信号を、前記対応するローオーダーＯＤＵにマッピングすることは、
送信される固定ビットレート（ＣＢＲ）クライアント信号を、前記ローオーダーＯＤＵセット内の前記対応するローオーダーＯＤＵに、非同期マッピングを介してマッピングすることを含む、請求項８に記載の方法。
【請求項１０】
送信される前記クライアント信号を、前記対応するローオーダーＯＤＵにマッピングすることは、
送信されるパケットタイプクライアント信号を、前記ローオーダーＯＤＵセット内の前記対応するローオーダーＯＤＵに、ジェネリックフレーミングプロシージャ（ＧＦＰ）を介してマッピングすることを含む、請求項８に記載の方法。
【請求項１１】
送信される前記パケットタイプクライアント信号を、前記ローオーダーＯＤＵセット内の前記対応するローオーダーＯＤＵに、ＧＦＰを介してマッピングすることは、
送信される前記パケットタイプクライアント信号を、ＧＦＰフレーム内にパッケージ化し、
ＧＦＰ  ＩＤＥＬフレームを挿入することによって、前記パッケージ化されたパケットタイプクライアント信号のためのレートアダプテーションを実行し、
前記レートアダプテーションされたＧＦＰフレームを、前記ローオーダーＯＤＵセット内の前記対応するローオーダーＯＤＵにマッピングすること
を含む、請求項１０に記載の方法。
【請求項１２】
前記ローオーダーＯＤＵを、ハイオーダーＯＤＵ３の前記タイムスロットにマッピングすることは、
前記ローオーダーＯＤＵを、前記ハイオーダーＯＤＵ３の前記タイムスロットに、ジェネリックマッピングプロシージャ（ＧＭＰ）を介してマッピングすることを含む、請求項８〜請求項１１の何れか１項に記載の方法。
【請求項１３】
送信されるクライアント信号を、３２個のタイムスロットに分割されたハイオーダー光チャネルデータユニット-３（ＯＤＵ３）に対応するローオーダー光チャネルデータユニット（ＯＤＵ）セット内の対応するローオーダーＯＤＵにマッピングするように構成された、第１のマッピングユニット（４０１）と、ただし、前記ローオーダーＯＤＵセットは、ＯＤＵ１ｔ、ＯＤＵ２ｔ、・・・、ＯＤＵ３２ｔである３２個のローオーダーＯＤＵを含み、ＯＤＵ１ｔ、ＯＤＵ２ｔ、・・・、ＯＤＵ３２ｔは、それぞれＯＤＵ３と同じフレーム構造を採用し、ＯＤＵ１ｔ、ＯＤＵ２ｔ、・・・、ＯＤＵ３２ｔは、それぞれ１×ＯＤＵ１ｔレート、２×ＯＤＵ１ｔレート、・・・、３２×ＯＤＵ１ｔレートのように表される、順に増加させられた３２個のレートを有し、ＯＤＵ１ｔレートは、前記ハイオーダーＯＤＵ３内における最小のタイムスロット粒度のレートであるＯＤＵ１ｔのレートを表し、
前記第１のマッピングユニットによって取得された前記対応するローオーダーＯＤＵを、ハイオーダー光チャネルペイロードユニット（ＯＰＵ）のタイムスロットにマッピングするように構成された、第２のマッピングユニット（４０２）と、
前記第２のマッピングユニットによって取得された前記ハイオーダーＯＰＵにオーバヘッドを追加して光チャネルトランスポートユニット（ＯＴＵ）を形成し、前記ＯＴＵを、伝送のために光トランスポートネットワーク（ＯＴＮ）に転送するように構成された、送信ユニット（４０３）と
を備える、クライアント信号を送信する装置。
【請求項１４】
前記第１のマッピングユニットは、
送信される固定ビットレート（ＣＢＲ）クライアント信号を、前記ローオーダーＯＤＵセット内の前記対応するローオーダーＯＤＵに、非同期マッピングを介してマッピングするように構成された、ＣＢＲクライアント信号マッピングサブユニット、及び／又は、
送信されるパケットタイプクライアント信号を、前記ローオーダーＯＤＵセット内の前記対応するローオーダーＯＤＵに、ジェネリックフレーミングプロシージャ（ＧＦＰ）を介してマッピングするように構成された、パケットクライアント信号マッピングサブユニット
を備える、請求項１３に記載の装置。
【請求項１５】
８０個のタイムスロットに分割されたハイオーダー光チャネルデータユニット-４（ＯＤＵ４）を採用したクライアント信号を送信する方法であって、
送信されるクライアント信号を、前記ハイオーダーＯＤＵ４に対応するローオーダー光チャネルデータユニット（ＯＤＵ）セット内の対応するローオーダーＯＤＵにマッピングし（２０１）、ただし、前記ローオーダーＯＤＵセットは、ＯＤＵ１ｔ、ＯＤＵ２ｔ、・・・、ＯＤＵ８０ｔである８０個のローオーダーＯＤＵを含み、ＯＤＵ１ｔ、ＯＤＵ２ｔ、・・・、ＯＤＵ８０ｔは、それぞれＯＤＵ４と同じフレーム構造を採用し、ＯＤＵ１ｔ、ＯＤＵ２ｔ、・・・、ＯＤＵ８０ｔは、それぞれ１×ＯＤＵ１ｔレート、２×ＯＤＵ１ｔレート、・・・、８０×ＯＤＵ１ｔレートのように表される、順に増加させられた８０個のレートを有し、ＯＤＵ１ｔレートは、前記ハイオーダーＯＤＵ４内における最小のタイムスロット粒度のレートであるＯＤＵ１ｔのレートを表し、
前記対応するローオーダーＯＤＵを、ハイオーダーＯＰＵ４のタイムスロットにマッピングし（２０２）、
前記ハイオーダーＯＤＵ４にオーバヘッドを追加して光チャネルトランスポートユニット（ＯＴＵ）を形成し、前記ＯＴＵを、伝送のために光トランスポートネットワーク（ＯＴＮ）に転送すること（２０３）
を含む、クライアント信号を送信する方法。
【請求項１６】
送信される前記クライアント信号を、前記対応するローオーダーＯＤＵにマッピングすることは、
送信される固定ビットレート（ＣＢＲ）クライアント信号を、前記ローオーダーＯＤＵセット内の前記対応するローオーダーＯＤＵに、非同期マッピングを介してマッピングすることを含む、請求項１５に記載の方法。
【請求項１７】
送信される前記クライアント信号を、前記対応するローオーダーＯＤＵにマッピングすることは、
送信されるパケットタイプクライアント信号を、前記ローオーダーＯＤＵセット内の前記対応するローオーダーＯＤＵに、ジェネリックフレーミングプロシージャ（ＧＦＰ）を介してマッピングすることを含む、請求項１５に記載の方法。
【請求項１８】
送信される前記パケットタイプクライアント信号を、前記ローオーダーＯＤＵセット内の前記対応するローオーダーＯＤＵに、ＧＦＰを介してマッピングすることは、
送信される前記パケットタイプクライアント信号を、ＧＦＰフレーム内にパッケージ化し、
ＧＦＰ  ＩＤＥＬフレームを挿入することによって、前記パッケージ化されたパケットタイプクライアント信号のためのレートアダプテーションを実行し、
前記レートアダプテーションされたＧＦＰフレームを、前記ローオーダーＯＤＵセット内の前記対応するローオーダーＯＤＵにマッピングすること
を含む、請求項１７に記載の方法。
【請求項１９】
前記ローオーダーＯＤＵを、ハイオーダーＯＤＵ４の前記タイムスロットにマッピングすることは、
前記ローオーダーＯＤＵを、前記ハイオーダーＯＤＵ４の前記タイムスロットに、ジェネリックマッピングプロシージャ（ＧＭＰ）を介してマッピングすることを含む、請求項１５〜請求項１８の何れか１項に記載の方法。
【請求項２０】
送信されるクライアント信号を、８０個のタイムスロットに分割されたハイオーダー光チャネルデータユニット-４（ＯＤＵ４）に対応するローオーダー光チャネルデータユニット（ＯＤＵ）セット内の対応するローオーダーＯＤＵにマッピングするように構成された、第１のマッピングユニット（４０１）と、ただし、前記ローオーダーＯＤＵセットは、ＯＤＵ１ｔ、ＯＤＵ２ｔ、・・・、ＯＤＵ８０ｔである８０個のローオーダーＯＤＵを含み、ＯＤＵ１ｔ、ＯＤＵ２ｔ、・・・、ＯＤＵ８０ｔは、それぞれＯＤＵ４と同じフレーム構造を採用し、ＯＤＵ１ｔ、ＯＤＵ２ｔ、・・・、ＯＤＵ８０ｔは、それぞれ１×ＯＤＵ１ｔレート、２×ＯＤＵ１ｔレート、・・・、８０×ＯＤＵ１ｔレートのように表される、順に増加させられた８０個のレートを有し、ＯＤＵ１ｔレートは、前記ハイオーダーＯＤＵ４内における最小のタイムスロット粒度のレートであるＯＤＵ１ｔのレートを表し、
前記第１のマッピングユニットによって取得された前記対応するローオーダーＯＤＵを、ハイオーダー光チャネルペイロードユニット（ＯＰＵ）のタイムスロットにマッピングするように構成された、第２のマッピングユニット（４０２）と、
前記第２のマッピングユニットによって取得された前記ハイオーダーＯＰＵにオーバヘッドを追加して光チャネルトランスポートユニット（ＯＴＵ）を形成し、前記ＯＴＵを、伝送のために光トランスポートネットワーク（ＯＴＮ）に転送するように構成された、送信ユニット（４０３）と
を備える、クライアント信号を送信する装置。
【請求項２１】
前記第１のマッピングユニットは、
送信される固定ビットレート（ＣＢＲ）クライアント信号を、前記ローオーダーＯＤＵセット内の前記対応するローオーダーＯＤＵに、非同期マッピングを介してマッピングするように構成された、ＣＢＲクライアント信号マッピングサブユニット、及び／又は、
送信されるパケットタイプクライアント信号を、前記ローオーダーＯＤＵセット内の前記対応するローオーダーＯＤＵに、ジェネリックフレーミングプロシージャ（ＧＦＰ）を介してマッピングするように構成された、パケットクライアント信号マッピングサブユニット
を備える、請求項２０に記載の装置。
【発明の詳細な説明】
【技術分野】
【０００１】
本発明は、光ネットワークの分野に関し、特に、クライアント信号を送信する方法及び装置に関する。
【背景技術】
【０００２】
次世代のトランスポートネットワークの中核技術として、光トランスポートネットワーク（ＯＴＮ）は、豊富な運用・管理・保守（ＯＡＭ）、強力なタンデムコネクションモニタ（ＴＣＭ）、及びアウトバンド前方誤り訂正（ＦＥＣ）機能を有するのみでなく、大容量サービスの柔軟なスケジューリング及び管理を実行することも可能であり、次第にバックボーントランスポートネットワークの主要な技術となってきた。
【０００３】
データサービスのタイプの急速な発展に伴い、オペレータは、ＯＴＮが、イーサネット（登録商標）、ファイバチャネル（ＦＣ）、及び同期デジタルハイアラーキ（ＳＤＨ）などのクライアント信号のような、複数のサービスのデータに対して良好なサポートを提供することを望んでいる。
【０００４】
従来、関連技術においては、様々なタイプのクライアント信号の伝送は、光チャネルデータユニット−ｋ（ＯＤＵｋ）を使用することによって実現されており、ここで、ｋ＝１、２、３、４である。送信端において、送信されるクライアント信号がＯＤＵｋ内にマッピングされ、ＯＤＵｋにオーバヘッドが追加されて光チャネルトランスポートユニット−ｋ（ＯＴＵｋ）フレームが形成され、ＯＴＵｋフレームが伝送のためにＯＴＮに転送され、ここで、ｋ＝１、２、３、４である。
【発明の概要】
【発明が解決しようとする課題】
【０００５】
しかし、発明者は、４つのＯＤＵｋ（ｋ＝１、２、３、４）のレートが予め定められており、ＯＤＵ１のレートが２．５Ｇ、ＯＤＵ２のレートが１０Ｇ、ＯＤＵ３のレートが４０Ｇ、ＯＤＵ４のレートが１１２Ｇであることを見出した。送信端において、送信されるクライアント信号をＯＤＵｋにマッピングする際に、ＯＤＵｋのレートと、送信されるクライアント信号のレートとが正確に一致させられることはできない。従って、ＯＴＮトランスポートチャネルの帯域幅は著しく浪費される。同時に、複数のクライアント信号について、送信端では、それらの複数のクライアント信号を束ねて、それらを１つのＯＤＵｋ内にマッピングしなければならず、これは、ＯＴＮが各クライアント信号を管理するのに不都合である。
【課題を解決するための手段】
【０００６】
本発明の実施形態は、クライアント信号のレートとＯＤＵｋのレートとが正確に一致させられることが可能であり、ＯＴＮトランスポートチャネルの帯域幅が節約されることが可能であり、かつ、各クライアント信号に対する強力な管理が達成されることが可能であるように、クライアント信号を送信及び受信する、方法、装置、及びシステムを提供する。
【０００７】
本発明の実施形態は、以下の技術的解決法を提供する。
【０００８】
クライアント信号を送信する方法は、
送信されるクライアント信号を、順に増加させられたレートを有し、かつ、クライアント信号との、レートの対応関係を有する、ローオーダー光チャネルデータユニット（ＯＤＵ）セット内の対応するローオーダーＯＤＵにマッピングし、
ローオーダーＯＤＵを、ハイオーダー光チャネルペイロードユニット（ＯＰＵ）セット内のハイオーダーＯＰＵのタイムスロットにマッピングし、
ハイオーダーＯＰＵにオーバヘッドを追加して光チャネルトランスポートユニット（ＯＴＵ）を形成し、ＯＴＵを、伝送のために光トランスポートネットワーク（ＯＴＮ）に転送することを含む。
【０００９】
クライアント信号を送信する装置は、
送信されるクライアント信号を、順に増加させられたレートを有し、かつ、クライアント信号との、レートの対応関係を有する、ローオーダー光チャネルデータユニット（ＯＤＵ）セット内の対応するローオーダーＯＤＵにマッピングするように構成された、第１のマッピングユニットと、
第１のマッピングユニットによって取得されたローオーダーＯＤＵを、ハイオーダー光チャネルペイロードユニット（ＯＰＵ）セット内のハイオーダーＯＰＵのタイムスロットにマッピングするように構成された、第２のマッピングユニットと、
第２のマッピングユニットによって取得されたハイオーダーＯＰＵにオーバヘッドを追加して光チャネルトランスポートユニット（ＯＴＵ）を形成し、ＯＴＵを、伝送のために光トランスポートネットワーク（ＯＴＮ）に転送するように構成された、送信ユニットとを含む。
【００１０】
クライアント信号を受信する方法は、
データフレームを受信して、ハイオーダー光チャネルペイロードユニット（ＯＰＵ）セット内のハイオーダーＯＰＵを取得し、
ハイオーダーＯＰＵをデマッピングして、ローオーダー光チャネルデータユニット（ＯＤＵ）セット内の、順に増加させられたレートを有するローオーダーＯＤＵを取得し、
クライアント信号と、ローオーダーＯＤＵセット内のローオーダーＯＤＵとの間の対応関係に従って、ローオーダーＯＤＵセット内のローオーダーＯＤＵをデマッピングして、クライアント信号を取得することを含む。
【００１１】
クライアント信号を受信する装置は、
データフレームを受信して、ハイオーダー光チャネルペイロードユニット（ＯＰＵ）セット内のハイオーダーＯＰＵを取得するように構成された、受信ユニットと、
ハイオーダーＯＰＵをデマッピングして、ローオーダー光チャネルデータユニット（ＯＤＵ）セット内の、順に増加させられたレートを有するローオーダーＯＤＵを取得するように構成された、第１のデマッピングユニットと、
クライアント信号と、ローオーダーＯＤＵセット内のローオーダーＯＤＵとの間の対応関係に従って、ローオーダーＯＤＵセット内のローオーダーＯＤＵをデマッピングして、クライアント信号を取得するように構成された、第２のデマッピングユニットとを含む。
【００１２】
クライアント信号を通信するシステムは、送信装置と、受信装置とを含む。
【発明の効果】
【００１３】
本発明の実施形態では、送信端において、順に増加させられたレートを有するローオーダーＯＤＵセットが構成され、送信されるクライアント信号と、ローオーダーＯＤＵセット内のローオーダーＯＤＵとの間の対応関係がレートによって確立され、送信されるクライアント信号が、ローオーダーＯＤＵセット内の対応するローオーダーＯＤＵ内にマッピングされる。従って、クライアント信号のレートが、ローオーダーＯＤＵセット内のローオーダーＯＤＵのレートと正確に一致させられることが可能であり、その結果、ＯＴＮトランスポートチャネルの帯域幅が節約されることが可能である。
【００１４】
加えて、送信端では、送信されるクライアント信号と、ローオーダーＯＤＵセット内の、順に増加させられたレートを有するローオーダーＯＤＵとの間の対応関係に基づいて、複数のクライアント信号を、ローオーダーＯＤＵセット内の対応するローオーダーＯＤＵにマッピングし、次に、ローオーダーＯＤＵセット内の各ローオーダーＯＤＵを、伝送のためにデータフレームを介してＯＴＮに転送される、ハイオーダーＯＰＵセット内のハイオーダーＯＰＵの様々なタイムスロットにマッピングして、ＯＴＮが各クライアント信号を管理するのを容易にする。更に、ローオーダーＯＤＵセット内のサブデータユニットは、同一のフレーム構成を使用し、従って、各タイプのクライアント信号に対する強力な管理が達成されることが可能である。
【図面の簡単な説明】
【００１５】
【図１】本発明の第１の実施形態によるクライアント信号送信方法のフローチャートである。
【図２】本発明の第２の実施形態によるクライアント信号送信方法のフローチャートである。
【図３】本発明の第３の実施形態によるクライアント信号送信方法のフローチャートである。
【図４】本発明の第１の実施形態によるクライアント信号送信装置の構成図である。
【図５】本発明の第１の実施形態によるクライアント信号受信方法のフローチャートである。
【図６】本発明の第２の実施形態によるクライアント信号受信方法のフローチャートである。
【図７】本発明の第３の実施形態によるクライアント信号受信方法のフローチャートである。
【図８】本発明の第１の実施形態によるクライアント信号受信装置の構成図である。
【発明を実施するための形態】
【００１６】
本発明の実施形態について、図面を参照して以下で詳細に説明する。
【００１７】
図１を参照すると、本発明の第１の実施形態によるクライアント信号送信方法のフローチャートが示されており、この方法は以下を含む。
【００１８】
上記の実施形態から、レートが順に増加させられたローオーダーＯＤＵセットを構成し、クライアント信号とローオーダーＯＤＵセット内のローオーダーＯＤＵとの間の対応関係をレートによって確立することにより、任意のレートの、送信されるクライアント信号が、ローオーダーＯＤＵセット内の対応するローオーダーＯＤＵ内にマッピングされることが可能であり、その上、送信されるクライアント信号のレートが、ローオーダーＯＤＵセット内のローオーダーＯＤＵのレートと正確に一致させられることが可能であり、従って、ＯＴＮトランスポートチャネルの帯域幅が節約されることが可能である、ということがわかる。同時に、複数のクライアント信号が、それぞれ、ローオーダーＯＤＵセット内の様々なローオーダーＯＤＵ内にマッピングされ、次に、ローオーダーＯＤＵセット内の様々なローオーダーＯＤＵが、ハイオーダーＯＰＵセット内のハイオーダーＯＰＵの様々なタイムスロット内にマッピングされて、伝送のためにデータフレームを介してＯＴＮに転送される。このように、この実施形態は、ＯＴＮが各クライアント信号を管理するのに好都合である。
【００１９】
図２を参照すると、本発明の第２の実施形態によるクライアント信号送信方法のフローチャートが示されており、この方法は以下を含む。
【００２０】
ステップ２０１：送信されるクライアント信号と、ＯＤＵｘｔセット内の、自然数倍で増加させられたレートを有する光チャネルデータユニット−ｘｔ（ＯＤＵｘｔ）（ｘ＝１、２、．．．、Ｎ）との間の対応関係に従って、送信されるクライアント信号を、クライアント信号のレートに対応するＯＤＵｘｔにマッピングする。
【００２１】
ここで、順に増加させられたレートを有するＯＤＵｘｔ（ｘ＝１、２、．．．、Ｎ）セットが構成される。特定のクライアント信号に対して、クライアント信号のレートに従って、ＯＤＵｘｔ（ｘ＝１、２、．．．、Ｎ）セットから、クライアント信号のレートに対応するＯＤＵｘｔが選択され、次に、クライアント信号がＯＤＵｘｔ内にマッピングされる。
【００２２】
好ましくは、ＯＤＵｘｔ（ｘ＝１、２、．．．、Ｎ）セット内の、最小レート粒度ＯＤＵ１ｔのレートは、ハイオーダー光チャネルデータユニット−ｋ（ＨＯ  ＯＤＵｋ）（ｋ＝１、２、３、４）セット内の最小タイムスロット粒度のレートであり、本発明の実施形態は、ＯＤＵｘｔセット内の最小レート粒度ＯＤＵ１ｔの具体的なレートを限定することを意図するものではない。現在のところ、国際電気通信連合（ＩＴＵ）では、ＨＯ  ＯＰＵ１のための、新たなＯＴＮレートを設定することに関して議論が行われており、可能な選択肢は、２３８／２２７×２．４８８３２０Ｇビット／ｓ、すなわち、約２．６０８８９９３８３３Ｇビット／ｓにレートを設定することである。新たなＯＴＮレートに対して、ＨＯ  ＯＤＵ１が２つのタイムスロットに分割される場合、ＨＯ  ＯＤＵｋ（ｋ＝１、２、３、４）セット内の最小タイムスロット粒度のレートは、ＨＯ  ＯＰＵ１のレートの半分、すなわち、１．３０４４４９６９２Ｇビット／ｓである。従って、ＯＤＵ１ｔのレートは、ＨＯ  ＯＤＵｋ（ｋ＝１、２、３、４）セット内の最小タイムスロット粒度のレート、すなわち、１．３０４４４９６９２Ｇビット／ｓである。ＯＤＵｘｔのレートは、ＯＤＵ１ｔのレートの自然数倍、すなわち、ｘ×ＯＤＵ１ｔ（ｘ＝１、２、．．．、Ｎ）である。
【００２３】
別の可能な選択肢は、ＯＤＵｘｔセット内の最小レート粒度ＯＤＵ１ｔのレートを、ＩＴＵによって現在議論されているＯＤＵ０のレートと同じに設定することであり、その場合、ＯＤＵｘｔセットは、ＯＤＵ０のレートの倍数によって順に増加させられたレートのセットとなる。現在、ＯＤＵ０のレートには、約１．２４９Ｇビット／ｓ又は約１．２４４Ｇビット／ｓという２つの可能な選択肢が存在する。そのようなレートの採用は、既存のＯＤＵｋと互換性があり、従ってＯＤＵ１ｔが全てのＯＴＮコンテナに導入されることが可能である、という利点を有する。
【００２４】
本発明の実施形態は、ＯＤＵｘｔのフレーム構成を限定することを意図するものではなく、好ましくは、Ｇ．７０９によって規定されたＯＤＵｋフレーム構成がＯＤＵｘｔフレーム構成として採用されること、及び、ＯＤＵｘｔ信号の周波数オフセットも現在のＧ．７０９と一致させられること（すなわち、＋／−２０ｐｐｍ）が提案される。
【００２５】
ＯＤＵ１ｔのレートが１．３０４４４９６９２Ｇビット／ｓである場合、現在のクライアント信号とＯＤＵｘｔとの間の対応関係は、表１に示されている通りである。
【００２６】
【表１】
2014171248.tif 000003
【００２７】
クライアント信号の、完全にレートトランスペアレントなトランスポートを確実にするために、及び、同期イーサネット（登録商標）のタイミングトランスペアレントなトランスポートの要求を考慮して、複数のクライアント信号は、固定ビットレート（ＣＢＲ）クライアント信号とみなされてもよい。ステップ２０１において、各タイプのＣＢＲクライアント信号は、ジェネリックマッピングプロシージャ（ＧＭＰ）又はＮＪＯ／ＰＪＯ非同期調整などの非同期マッピングを介して、対応するＯＤＵｘｔ内にマッピングされてもよい。パケットタイプのクライアント信号については、ジェネリックフレーミングプロシージャ（ＧＦＰ）を使用してパッケージ化されてもよく、パッケージ化されたパケットタイプクライアント信号は、選択されたＯＤＵｘｔ帯域幅に従って、ＩＤＥＬフレームを挿入することによって、対応するＯＤＵｘｔ内にマッピングされてもよい。
【００２８】
ステップ２０２：クライアント信号を運ぶＯＤＵｘｔを、ＨＯ  ＯＤＵｋ（ｋ＝１、２、３、４）セット内の対応するＨＯ  ＯＤＵｋのタイムスロットにマッピングする。
【００２９】
ここで、ＨＯ  ＯＤＵｋ（ｋ＝１、２、３、４）セット内の最小タイムスロット粒度のレートが１．３０４４４９６９２Ｇビット／秒である場合、ＨＯ  ＯＤＵｋ（ｋ＝１、２、３、４）セット内のＨＯ  ＯＤＵｋを分割することによって得られるタイムスロットの数と、それらの、ＯＤＵｘｔのタイプとの対応とは、以下の表２に示されている。
【００３０】
【表２】
2014171248.tif 000004
【００３１】
表２に従い、かつ、ＨＯ  ＯＤＵ１を例に取ると、ＨＯ  ＯＤＵ１は２つのタイムスロットに分割され、１つのＨＯ  ＯＤＵ１は、２つのＯＤＵ１ｔ又は１つのＯＤＵ２ｔを運ぶことができる。１つのＨＯ  ＯＤＵ１が２つのＯＤＵ１ｔを運ぶ場合、各ＨＯ  ＯＤＵ１タイムスロットは１つのＯＤＵ１ｔを運び、１つのＨＯ  ＯＤＵ１が１つのＯＤＵ２ｔを運ぶ場合、２つのＨＯ  ＯＤＵ１タイムスロットは結合されて、１つのＯＤＵ２ｔを共同で運ぶためのタイムスロットグループを形成する。
【００３２】
ステップ２０２で、ＯＤＵｘｔは、ＨＯ  ＯＤＵｋのタイムスロット又はタイムスロットグループ内に、同期マッピング又は非同期マッピングを介してマッピングされてもよく、非同期マッピングは、ＮＪＯ／ＰＪＯ非同期調整の方法で、又はＧＭＰの方法で実行されてもよい。
【００３３】
ステップ２０３：クライアント信号を運ぶＨＯ  ＯＤＵｋにオーバヘッドを追加して、ＨＯ  ＯＴＵｋを形成する。
【００３４】
ステップ２０４：ＨＯ  ＯＴＵｋを、伝送のためにＯＴＮに転送する。
【００３５】
上記の実施形態から、順に増加させられたレートを有するＯＤＵｘｔ（ｘ＝１、２、．．．Ｎ）セットが送信端において構成され、クライアント信号とＯＤＵｘｔ（ｘ＝１、２、．．．Ｎ）セット内のＯＤＵｘｔとの間の対応関係がレートによって確立され、従って、送信される任意のレートのクライアント信号が、ＯＤＵｘｔ（ｘ＝１、２、．．．Ｎ）セット内の対応するＯＤＵｘｔ内にマッピングされることが可能であり、その上、送信されるクライアント信号のレートが、ＯＤＵｘｔ（ｘ＝１、２、．．．Ｎ）セット内のＯＤＵｘｔのレートと正確に一致させられることが可能であり、従って、ＯＴＮトランスポートチャネルの帯域幅が節約されることが可能である、ということがわかる。同時に、ＯＤＵｘｔ（ｘ＝１、２、．．．Ｎ）セット内のそれぞれのＯＤＵｘｔのレートは、規則性を示すように順に増加させられるため、ＨＯ  ＯＤＵｋへの各ＯＤＵｘｔのマッピングは、複雑な調整を必要とせず、単純に実行されることが可能である。構成されたＯＤＵｘｔ（ｘ＝１、２、．．．Ｎ）セットは、各タイプのクライアント信号に柔軟に適合されることが可能であり、クライアント信号のための完全にトランスペアレントなマッピングを提供する。更に、送信端は、複数のクライアント信号を、それぞれ、ＯＤＵｘｔ（ｘ＝１、２、．．．Ｎ）セット内の様々なＯＤＵｘｔにマッピングし、ＯＤＵｘｔを、ＨＯ  ＯＤＵｋ（ｋ＝１、２、３、４）セット内のＨＯ  ＯＤＵｋの様々なタイムスロットにそれらをマッピングした後で送信し、従って、この実施形態は、ＯＴＮが各クライアント信号を管理するのに好都合である。加えて、ＯＤＵｘｔ（ｋ＝１、２、３、４）セット内のＯＤＵｘｔは、同一のフレーム構成を使用し、従って、各タイプのクライアント信号に対する強力な管理が達成されることが可能である。
【００３６】
本発明の第３の実施形態によるクライアント信号送信方法のフローチャートを、図３を参照して詳細に説明する。本実施形態では、ＯＤＵ１ｔのレートは１．３０４４４９６９２Ｇビット／秒であり、ＨＯ  ＯＤＵ１は２つのタイムスロットに分割され、ＨＯ  ＯＤＵ２は８つのタイムスロットに分割され、ＨＯ  ＯＤＵ３は３２のタイムスロットに分割され、ＨＯ  ＯＤＵ４は８０のタイムスロットに分割される。２つの１０ＧＥ  ＬＡＮと、１つのＳＴＭ−６４と、１つのＯＤＵ２とを含む、４つのクライアント信号が送信される。この方法は以下を含む。
【００３７】
ステップ３０１：送信されるクライアント信号と、ＯＤＵｘｔ（ｘ＝１、２、．．．Ｎ）セット内の、自然数倍で増加させられたレートを有するＯＤＵｘｔとの間の対応関係に従って、４つのクライアント信号を、それぞれ、４つのＯＤＵ８ｔに、ＧＭＰ非同期マッピングを介してマッピングする。
【００３８】
本実施形態では、ＯＤＵ１ｔのレートは１．３０４４４９６９２Ｇビット／ｓであり、従って、４つのクライアント信号は、表１における、現在のクライアント信号と、ＯＤＵｘｔ（ｘ＝１、２、．．．Ｎ）セット内のＯＤＵｘｔとの間の対応関係に従って、ＯＤＵ８ｔ内にマッピングされて、ＯＤＵ８ｔ−ａ、ＯＤＵ８ｔ−ｂ、ＯＤＵ８ｔ−ｃ、及びＯＤＵ８ｔ−ｄが取得される。
【００３９】
ここで、１つの１０ＧＥ  ＬＡＮクライアント信号はＯＤＵ８ｔ−ａ内にパックされ、１つの１０ＧＥ  ＬＡＮクライアント信号はＯＤＵ８ｔ−ｂ内にパックされ、１つのＳＴＭ−６４クライアント信号はＯＤＵ８ｔ−ｃ内にパックされ、１つのＯＤＵ２クライアント信号はＯＤＵ８ｔ−ｄ内にパックされる。
【００４０】
クライアント信号とＯＤＵ８ｔとの間の周波数の差は、ＧＭＰマッピング方法を使用することによって吸収されることが可能である。このマッピング方法では、１フレーム周期内にＯＤＵ８ｔによって運ばれるクライアント信号のバイト数Ｃｎを、クライアント信号とＯＤＵ８ｔとの間のクロック関係に基づいて計算し、次に、Ｃｎの値を、ＯＤＵ８ｔのオーバヘッド領域にマッピングし、そして、Ｃｎバイトを、シグマデルタアルゴリズムによってＯＤＵ８ｔにマッピングする。
【００４１】
ステップ３０２：４つのＯＤＵ８ｔを、それぞれ、ＨＯ  ＯＤＵ３内で８つのタイムスロットごとに結合することによって形成された４つのタイムスロットグループに、ＮＪＯ／ＰＪＯ非同期マッピングを介してマッピングする。
【００４２】
ステップ３０２で、各ＯＤＵ８ｔが、８つのタイムスロットを結合することによって形成されたタイムスロットグループ内にマッピングされ、従って、４つのＯＤＵ８ｔは、ＨＯ  ＯＤＵ３内の３２のタイムスロット内に全てマッピングされる。
【００４３】
ステップ３０３：４つのクライアント信号を運ぶＨＯ  ＯＤＵ３にオーバヘッドを追加して、ＨＯ  ＯＴＵ３を形成する。
【００４４】
ステップ３０４：ＨＯ  ＯＴＵ３を、伝送のためにＯＴＮに転送する。
【００４５】
上記で説明した方法に対応して、本発明の一実施形態では、クライアント信号送信装置を更に提供する。図４を参照すると、本発明の第１の実施形態によるクライアント信号送信装置の構成図が示されている。本実施形態における送信装置は、第１のマッピングユニット４０１と、第２のマッピングユニット４０２と、送信ユニット４０３とを含む。送信装置の内部構成及び接続関係について、その動作原理と組み合わせて以下で更に説明する。
【００４６】
第１のマッピングユニット４０１は、送信されるクライアント信号と、ローオーダーＯＤＵセット内の、順に増加させられたレートを有するローオーダーＯＤＵとの間の対応関係に従って、送信されるクライアント信号を、対応するローオーダーＯＤＵにマッピングするように構成される。
【００４７】
第２のマッピングユニット４０２は、第１のマッピングユニット４０１によって取得されたローオーダーＯＤＵを、ハイオーダーＯＰＵセット内のハイオーダーＯＰＵのタイムスロットにマッピングするように構成される。
【００４８】
送信ユニット４０３は、第２のマッピングユニット４０２によって取得されたハイオーダーＯＰＵにオーバヘッドを追加してＯＴＵを形成し、ＯＴＵを、伝送のためにＯＴＮに転送するように構成される。
【００４９】
上記の実施形態から、第１のマッピングユニットは、送信されるクライアント信号と、ローオーダーＯＤＵセット内の、順に増加させられたレートを有するローオーダーＯＤＵとの間の対応関係に従って、送信される任意のレートのクライアント信号を、ローオーダーＯＤＵセット内の対応するローオーダーＯＤＵにマッピングし、従って、送信されるクライアント信号のレートが、ローオーダーＯＤＵセット内のローオーダーＯＤＵのレートと正確に一致させられることが可能であり、その結果、ＯＴＮトランスポートチャネルの帯域幅が節約されることが可能である、ということがわかる。同時に、ローオーダーＯＤＵセット内のローオーダーＯＤＵのレートは、規則性を示すように順に増加させられるため、第２のマッピングユニットによる、ハイオーダーＯＰＵセット内のハイオーダーＯＰＵのタイムスロットへの、ローオーダーＯＤＵセット内のローオーダーＯＤＵのマッピングは、複雑な調整を必要とせず、単純に実行されることが可能である。構成されたローオーダーＯＤＵセットは、各タイプのクライアント信号に柔軟に適合されることが可能であり、クライアント信号のための完全にトランスペアレントなマッピングを提供する。更に、第１のマッピングユニットは、送信されるクライアント信号を、それぞれ、ローオーダーＯＤＵセット内の対応するローオーダーＯＤＵにマッピングし、次に、ローオーダーＯＤＵセット内のローオーダーＯＤＵを、伝送のためにデータフレームを介して光トランスポートネットワーク（ＯＴＮ）に転送される、ハイオーダーＯＰＵセット内のハイオーダーＯＰＵの様々なタイムスロットにマッピングし、従って、この実施形態は、ＯＴＮが各クライアント信号を管理するのに好都合である。加えて、ローオーダーＯＤＵセット内のローオーダーＯＤＵは、同一のフレーム構成を使用し、従って、各タイプのクライアント信号に対する強力な管理が達成されることが可能である。
【００５０】
図５を参照すると、本発明の第１の実施形態によるクライアント信号受信方法のフローチャートが示されており、この方法は以下を含む。
【００５１】
ステップ５０１：データフレームを受信して、ハイオーダーＯＰＵセット内のハイオーダーＯＰＵを取得する。
【００５２】
ステップ５０２：ハイオーダーＯＰＵをデマッピングして、ローオーダーＯＤＵセット内の、順に増加させられたレートを有するローオーダーＯＤＵを取得する。
【００５３】
ステップ５０３：クライアント信号と、ローオーダーＯＤＵセット内のローオーダーＯＤＵとの間の対応関係に従って、ローオーダーＯＤＵセット内のローオーダーＯＤＵをデマッピングして、クライアント信号を取得する。
【００５４】
上記の実施形態から、受信端において、同様に、順に増加させられたレートを有するローオーダーＯＤＵセットが構成され、送信されるクライアント信号のレートと、ローオーダーＯＤＵセット内のローオーダーＯＤＵのレートとの間の対応関係に従って、ローオーダーＯＤＵセット内のローオーダーＯＤＵがデマッピングされて、ローオーダーＯＤＵセット内のローオーダーＯＤＵ上で運ばれる、対応するクライアント信号が取得される、ということがわかる。従って、クライアント信号のレートが、ローオーダーＯＤＵセット内のローオーダーＯＤＵのレートと正確に一致させられることが可能であり、その結果、ＯＴＮトランスポートチャネルの帯域幅が節約されることが可能である。同時に、ローオーダーＯＤＵセット内のローオーダーＯＤＵのレートは、規則性を示すように順に増加させられるため、ハイオーダーＯＰＵセット内のハイオーダーＯＰＵから、ローオーダーＯＤＵセット内のローオーダーＯＤＵへのデマッピングは、複雑な調整を必要とせず、単純に実行されることが可能である。
【００５５】
図６を参照すると、本発明の第２の実施形態によるクライアント信号受信方法のフローチャートが示されており、この方法は以下を含む。
【００５６】
ステップ６０１：ネットワークインタフェースを介してＨＯ  ＯＴＵｋを受信する。
【００５７】
ステップ６０２：ＨＯ  ＯＴＵｋのオーバヘッドを解析して、クライアント信号を運ぶＨＯ  ＯＤＵｋを取得する。
【００５８】
ステップ６０３：ＨＯ  ＯＤＵｋをデマッピングして、ＯＤＵｘｔを取得する。
【００５９】
ステップ６０４：クライアント信号と、ＯＤＵｘｔ（ｘ＝１、２、．．．Ｎ）セット内の，自然数倍で増加させられたレートを有するＯＤＵｘｔとの間の対応関係に従って、ＯＤＵｘｔをデマッピングして、クライアント信号を取得する。
【００６０】
上記の実施形態から、受信端において、同様に、レートが自然数倍で増加させられたＯＤＵｘｔ（ｘ＝１、２、．．．Ｎ）セットが構成される。送信されるクライアント信号のレートと、ＯＤＵｘｔ（ｘ＝１、２、．．．Ｎ）セット内のＯＤＵｘｔのレートとの間の対応関係に従って、ＯＤＵｘｔをデマッピングすることによって、ＯＤＵｘｔ内で運ばれる、対応するクライアント信号が取得されることが可能である。従って、クライアント信号のレートが、ＯＤＵｘｔ（ｘ＝１、２、．．．Ｎ）セット内のＯＤＵｘｔのレートと正確に一致させられることが可能であり、その結果、ＯＴＮトランスポートチャネルの帯域幅が節約されることが可能である。同時に、ＯＤＵｘｔ（ｘ＝１、２、．．．Ｎ）セット内のＯＤＵｘｔのレートは、規則性を示すように順に増加させられるため、ＨＯ  ＯＤＵｋからＯＤＵｘｔへのデマッピングは、複雑な調整を必要とせず、単純に実行されることが可能である。
【００６１】
本発明の第３の実施形態によるクライアント信号受信方法のフローチャートを、図７を参照して詳細に説明する。この受信方法は以下を含む。
【００６２】
ステップ７０１：ネットワークインタフェースを介してＨＯ  ＯＴＵ３を受信する。
【００６３】
ステップ７０２：ＨＯ  ＯＴＵ３のオーバヘッドを解析して、ＨＯ  ＯＤＵ３を取得する。
【００６４】
ここで、ＨＯ  ＯＤＵ３は３２のタイムスロットに分割され、これは更に、４つのタイムスロットグループを形成し、各タイムスロットグループは８つのタイムスロットを結合することによって形成される。４つのタイムスロットグループは、それぞれ、クライアント信号がパックされたＯＤＵ８ｔ−ａ、ＯＤＵ８ｔ−ｂ、ＯＤＵ８ｔ−ｃ、及びＯＤＵ８ｔ−ｄを運ぶ。ここで、ＯＤＵ８ｔ−ａには１つの１０ＧＥ  ＬＡＮクライアント信号がパックされ、ＯＤＵ８ｔ−ｂには１つの１０ＧＥ  ＬＡＮクライアント信号がパックされ、ＯＤＵ８ｔ−ｃには１つのＳＴＭ−６４クライアント信号がパックされ、ＯＤＵ８ｔ−ｄには１つのＯＤＵ２クライアント信号がパックされる。
【００６５】
ステップ７０３：ＮＪＯ／ＰＪＯ非同期デマッピングを介して、ＨＯ  ＯＤＵ３をデマッピングして、４つのＯＤＵ８ｔを取得する。
【００６６】
ステップ７０４：クライアント信号と、ＯＤＵｘｔ（ｘ＝１、２、．．．Ｎ）セット内の，自然数倍で増加させられたレートを有するＯＤＵｘｔとの間の対応関係に従って、ＧＭＰ非同期デマッピングを介して、４つのＯＤＵ８ｔをそれぞれデマッピングして、４つのクライアント信号を取得する。
【００６７】
上記で説明した方法に対応して、本発明の実施形態では、クライアント信号受信装置を更に提供する。図８を参照すると、本発明の第１の実施形態によるクライアント信号受信装置の構成図が示されている。本実施形態における受信装置は、受信ユニット８０１と、第１のデマッピングユニット８０２と、第２のデマッピングユニット８０３とを含む。受信装置の内部構成及び接続関係について、その動作原理と組み合わせて更に説明する。
【００６８】
受信ユニット８０１は、データフレームを受信して、ハイオーダーＯＰＵセット内のハイオーダーＯＰＵを取得するように構成される。
【００６９】
第１のデマッピングユニット８０２は、ハイオーダーＯＰＵをデマッピングして、ローオーダーＯＤＵセット内の、順に増加させられたレートを有するローオーダーＯＤＵを取得するように構成される。
【００７０】
第２のデマッピングユニット８０３は、クライアント信号と、ローオーダーＯＤＵセット内のローオーダーＯＤＵとの間の対応関係に従って、ローオーダーＯＤＵセット内のローオーダーＯＤＵをデマッピングして、クライアント信号を取得するように構成される。
【００７１】
本発明の通信方法についての第１の実施形態では、上述の送信方法と受信方法とを含むクライアント信号通信方法が実施される（詳細は先に示したので、ここでは説明しない）。
【００７２】
上記で説明した方法に対応して、本発明は、先の受信装置と送信装置とを含む、クライアント信号伝送システムの第１の実施形態を更に提供する（詳細は先に示したので、ここでは説明しない）。
【００７３】
１．本実施形態の第１の例は、
送信されるクライアント信号を、順に増加させられたレートを有し、かつ、前記クライアント信号との、レートの対応関係を有する、ローオーダー光チャネルデータユニット（ＯＤＵ）セット内の対応するローオーダーＯＤＵにマッピングし、
前記ローオーダーＯＤＵを、ハイオーダー光チャネルペイロードユニット（ＯＰＵ）セット内のハイオーダーＯＰＵのタイムスロットにマッピングし、
前記ハイオーダーＯＰＵにオーバヘッドを追加して光チャネルトランスポートユニット（ＯＴＵ）を形成し、前記ＯＴＵを、伝送のために光トランスポートネットワーク（ＯＴＮ）に転送すること
を含む、クライアント信号を送信する方法を提供する。
２．第１の例に従った第２の例の方法では、
送信される前記クライアント信号を、前記対応するローオーダーＯＤＵにマッピングすることは、
送信される固定ビットレート（ＣＢＲ）クライアント信号を、前記ローオーダーＯＤＵセット内の前記対応するローオーダーＯＤＵに、非同期マッピングを介してマッピングすることを含む。
３．第１の例に従った第３の例の方法では、
送信される前記クライアント信号を、前記対応するローオーダーＯＤＵにマッピングすることは、
送信されるパケットタイプクライアント信号を、前記ローオーダーＯＤＵセット内の前記対応するローオーダーＯＤＵに、ジェネリックフレーミングプロシージャ（ＧＦＰ）を介してマッピングすることを含む。
４．第３の例に従った第４の例の方法では、
送信される前記パケットタイプクライアント信号を、前記ローオーダーＯＤＵセット内の前記対応するローオーダーＯＤＵに、ＧＦＰを介してマッピングすることは、
送信される前記パケットタイプクライアント信号を、ＧＦＰフレーム内にパッケージ化し、
ＧＦＰ  ＩＤＥＬフレームを挿入することによって、前記パッケージ化されたパケットタイプクライアント信号のためのレートアダプテーションを実行し、
前記レートアダプテーションされたＧＦＰフレームを、前記ローオーダーＯＤＵセット内の前記対応するローオーダーＯＤＵにマッピングすること
を含む。
５．第１の例に従った第５の例の方法では、
前記ローオーダーＯＤＵを、前記ハイオーダーＯＰＵセット内の前記ハイオーダーＯＰＵの前記タイムスロットにマッピングすることは、
前記ローオーダーＯＤＵを、前記ハイオーダーＯＰＵセット内の前記ハイオーダーＯＰＵの前記タイムスロットに、非同期マッピングを介してマッピングすることを含む。
６．第５の例に従った第６の例の方法では、
前記ローオーダーＯＤＵを、前記ハイオーダーＯＰＵセット内の前記ハイオーダーＯＰＵの前記タイムスロットに、非同期マッピングを介してマッピングすることは、
前記ローオーダーＯＤＵを、前記ハイオーダーＯＰＵセット内の前記ハイオーダーＯＰＵの前記タイムスロットに、ジェネリックマッピングプロシージャ（ＧＭＰ）を介してマッピングすることを更に含む。
７．第１の例〜第６の例の何れか１つに従った第７の例の方法では、
前記ローオーダーＯＤＵセットにおいて、
前記ローオーダーＯＤＵセット内の第１のローオーダーＯＤＵのレートは、前記ハイオーダーＯＰＵ内のタイムスロットユニットのレートであり、増分は、前記第１のローオーダーＯＤＵの前記レートである。
８．第１の例〜第６の例の何れか１つに従った第８の例の方法では、
前記ローオーダーＯＤＵは、光チャネルデータユニット−ｋ（ＯＤＵｋ）のフレーム構成と同じフレーム構成を有し、ビットレート範囲は少なくとも−２０ｐｐｍ〜＋２０ｐｐｍである。
９．本実施形態の第９の例は、
送信されるクライアント信号を、順に増加させられたレートを有し、かつ、前記クライアント信号との、レートの対応関係を有する、ローオーダー光チャネルデータユニット（ＯＤＵ）セット内の対応するローオーダーＯＤＵにマッピングするように構成された、第１のマッピングユニットと、
前記第１のマッピングユニットによって取得された前記ローオーダーＯＤＵを、ハイオーダー光チャネルペイロードユニット（ＯＰＵ）セット内のハイオーダーＯＰＵのタイムスロットにマッピングするように構成された、第２のマッピングユニットと、
前記第２のマッピングユニットによって取得された前記ハイオーダーＯＰＵにオーバヘッドを追加して光チャネルトランスポートユニット（ＯＵＴ）を形成し、前記ＯＴＵを、伝送のために光トランスポートネットワーク（ＯＴＮ）に転送するように構成された、送信ユニットと
を備える、クライアント信号を送信する装置を提供する。
１０．第９の例に従った第１０の例の装置では、
前記第１のマッピングユニットは、
送信される固定ビットレート（ＣＢＲ）クライアント信号を、前記ローオーダーＯＤＵセット内の前記対応するローオーダーＯＤＵに、非同期マッピングを介してマッピングするように構成された、ＣＢＲクライアント信号マッピングサブユニット、及び／又は、
送信されるパケットタイプクライアント信号を、前記ローオーダーＯＤＵセット内の前記対応するローオーダーＯＤＵに、ジェネリックフレーミングプロシージャ（ＧＦＰ）を介してマッピングするように構成された、パケットクライアント信号マッピングサブユニット
を備える。
１１．本実施形態の第１１の例は、
データフレームを受信して、ハイオーダー光チャネルペイロードユニット（ＯＰＵ）セット内のハイオーダーＯＰＵを取得し、
前記ハイオーダーＯＰＵをデマッピングして、ローオーダー光チャネルデータユニット（ＯＤＵ）セット内の、順に増加させられたレートを有するローオーダーＯＤＵを取得し、
クライアント信号と、前記ローオーダーＯＤＵセット内の前記ローオーダーＯＤＵとの間の対応関係に従って、前記ローオーダーＯＤＵセット内の前記ローオーダーＯＤＵをデマッピングして、前記クライアント信号を取得すること
を含む、クライアント信号を受信する方法を提供する。
１２．本実施形態の第１２の例は、
データフレームを受信して、ハイオーダー光チャネルペイロードユニット（ＯＰＵ）セット内のハイオーダーＯＰＵを取得するように構成された、受信ユニットと、
前記ハイオーダーＯＰＵをデマッピングして、ローオーダー光チャネルデータユニット（ＯＤＵ）セット内の、順に増加させられたレートを有するＯＤＵを取得するように構成された、第１のデマッピングユニットと、
前記クライアント信号と、前記ローオーダーＯＤＵセット内の前記ローオーダーＯＤＵとの間の対応関係に従って、前記ローオーダーＯＤＵセット内の前記ローオーダーＯＤＵをデマッピングして、前記クライアント信号を取得するように構成された、第２のデマッピングユニットと
を備える、クライアント信号を受信する装置を提供する。
１３．本実施形態の第１３の例は、
第９の例に記載の送信する前記装置と、第１２の例に記載の受信する前記装置とを備える、クライアント信号を通信するシステムを提供する。
【００７４】
上記で説明した内容は、本発明のいくつかの例示的実施形態にすぎない。当業者が、本発明の原理から逸脱することなく、様々な変更及び修正を行うことが可能であり、それらの変更及び修正も本発明の範囲に入るとみなされる、ということに留意されたい。
【図１】
2014171248.tif 000005
【図２】
2014171248.tif 000006
【図３】
2014171248.tif 000007
【図４】
2014171248.tif 000008
【図５】
2014171248.tif 000009
【図６】
2014171248.tif 000010
【図７】
2014171248.tif 000011
【図８】
2014171248.tif 000012